(57)【要約】  紙葉類上の広範囲に色汚れが付いたカラー汚損の有無を判定するため、紙葉類汚損判定装置を、紙葉類の画像を取得する画像取得部と、経年変化による紙葉類の色の変化を特定するための基準データが保存された記憶部と、紙葉類の画像及び基準データに基づいて、所定面積以上の領域で印刷直後の色から色が変化した紙葉類を検出すると共に、検出した紙葉類が、経年変化により色が変化した紙葉類であるか、色汚れが付いたカラー汚損紙葉類であるかを判定する判定部とによって構成する。
2019116542.tif 000002
【特許請求の範囲】
【請求項１】
紙葉類の画像を取得する画像取得部と、
経年変化による前記紙葉類の色の変化を特定するための基準データが保存された記憶部と、
前記紙葉類の画像及び前記基準データに基づいて、所定面積以上の領域で印刷直後の色から色が変化した紙葉類を検出すると共に、検出した紙葉類が、経年変化により色が変化した紙葉類であるか、色汚れが付いたカラー汚損紙葉類であるかを判定する判定部と
を備えることを特徴とする紙葉類汚損判定装置。
【請求項２】
前記基準データは、紙葉類のカラー画像を色分解した複数色の画素値から特徴量を算出し、該特徴量を所定の評価式に代入して得られた評価値が、カラー汚損紙葉類であることを示す値か否かを判定するための閾値であり、
前記判定部は、前記画像取得部が取得した紙葉類の画像から前記評価値を算出して前記閾値と比較することにより前記紙葉類がカラー汚損紙葉類であるか否かを判定する
ことを特徴とする請求項１に記載の紙葉類汚損判定装置。
【請求項３】
前記特徴量は、前記複数色の画素値の相関特徴を示す値であることを特徴とする請求項２に記載の紙葉類汚損判定装置。
【請求項４】
前記評価式は、経年変化による色の変化がない複数枚の紙葉類の画像及び経年変化により色が変化した複数枚の紙葉類の画像から算出した前記特徴量の主成分分析を行って得られた、所定主成分の主成分得点を算出するための式であることを特徴とする請求項２又は３に記載の紙葉類汚損判定装置。
【請求項５】
前記経年変化により色が変化した複数枚の紙葉類の画像は、紙葉類を撮像した画像の色成分を変更し、経年変化による色の変化を擬似的に再現して生成した画像であることを特徴とする請求項４に記載の紙葉類汚損判定装置。
【請求項６】
前記複数色の画素値は、Ｒ成分の画素値と、Ｇ成分の画素値と、Ｂ成分の画素値であることを特徴とする請求項２〜５のいずれか１項に記載の紙葉類汚損判定装置。
【請求項７】
前記判定部は、前記評価値に基づいて、複数枚のカラー汚損紙葉類に付いた色汚れが同じ色であるか否かを判定することを特徴とする請求項２〜６のいずれか１項に記載の紙葉類汚損判定装置。
【請求項８】
前記判定部は、前記紙葉類上に予めブロックとして設定された部分領域を対象として、前記ブロックを形成する画素の画素値から前記評価値を算出し、前記紙葉類がカラー汚損紙葉類であるか否かを判定することを特徴とする請求項２〜６のいずれか１項に記載の紙葉類汚損判定装置。
【請求項９】
前記ブロックは、前記紙葉類の全面を複数に分割して設定され、
前記判定部は、各ブロックについて算出した前記評価値に基づいて、カラー汚損紙葉類が、全面に色汚れが付いた紙葉類であるか、一部の領域のみに色汚れが付いた紙葉類であるかを判定する
ことを特徴とする請求項８に記載の紙葉類汚損判定装置。
【請求項１０】
複数枚の紙葉類を受ける受入部と、
前記受入部に受けた紙葉類を１枚ずつ搬送する搬送部と、
紙葉類を集積する複数の集積部と
をさらに備え、
前記受入部に受けた複数枚の紙葉類を、前記判定部による判定結果に基づいて、複数の集積部に分類して集積する
ことを特徴とする請求項１〜９のいずれか１項に記載の紙葉類汚損判定装置。
【請求項１１】
紙葉類汚損判定装置がカラー汚損の有無を判定する紙葉類汚損判定方法であって、
紙葉類の画像を取得する工程と、
前記紙葉類を撮像した画像、及び経年変化による前記紙葉類の色の変化を特定するための基準データに基づいて、所定面積以上の領域で印刷直後の色から色が変化した紙葉類が、経年変化により色が変化した紙葉類であるか、色汚れが付いたカラー汚損紙葉類であるかを判定する工程と
を含んだことを特徴とする紙葉類汚損判定方法。
【発明の詳細な説明】
【技術分野】
【０００１】
この発明は、紙葉類の汚損を判定する紙葉類汚損判定装置及び紙葉類汚損判定方法に関し、特に、インクや染料等による色汚れが付いたカラー汚損の有無を判定する紙葉類汚損判定装置及び紙葉類汚損判定方法に関する。
【背景技術】
【０００２】
従来、紙葉類の金種、真偽、正損等を識別する紙葉類処理装置が利用されている。正損識別では、汚損のある紙葉類を検出することができる。例えば、特許文献１には、紙葉類の汚損度を判別する紙葉類判別装置が開示されている。この装置は、所定波長の光を紙幣に照射して、予め設定したエリアにおける光の反射や透過の状態から、皺や汚れを検出する。皺や汚れを検出しやすいように、紙幣に照射する光の角度や波長を変更できるようになっている。
【先行技術文献】
【特許文献】
【０００３】
【特許文献１】特開２０１０−２７７２５２号公報
【特許文献２】特開平７−１８２５１８号公報
【発明の概要】
【発明が解決しようとする課題】
【０００４】
しかしながら、上記従来技術では正確に検出できない汚損がある。例えば、インクや染料等で青色に染まった紙葉類に青色の光を照射しても、この色汚れを検出できない可能性がある。また、皺や落書き等、局所的な汚損を検出する従来技術では、広範囲に色汚れが付いた汚損を検出できない可能性がある。さらに、通常の紙葉類とは広範囲に色が異なることを検出するだけでは、経年変化による退色を色汚れと誤検出する可能性がある。【０００５】
例えば、色粉や色水をかけあうインドのホーリー祭では、赤色や緑色に染まった紙幣が多数発生する。また、例えば、現金処理装置の中には、紙幣の盗難等に対応するため、異常を検知すると特殊インクを噴射して紙幣に色を付ける装置がある。これらの紙幣を、カラー汚損券として、他の紙幣と分けて検出することが求められているが、従来技術では正確な検出は困難である。【０００６】
本発明は、上記従来技術による課題に鑑みてなされたものであって、紙葉類に色が付いたカラー汚損の有無を判定する紙葉類汚損判定装置及び紙葉類汚損判定方法を提供することを目的とする。
【課題を解決するための手段】
【０００７】
上述した課題を解決し、目的を達成するため、本発明は、紙葉類汚損判定装置であって、紙葉類の画像を取得する画像取得部と、経年変化による前記紙葉類の色の変化を特定するための基準データが保存された記憶部と、前記紙葉類の画像及び前記基準データに基づいて、所定面積以上の領域で印刷直後の色から色が変化した紙葉類を検出すると共に、検出した紙葉類が、経年変化により色が変化した紙葉類であるか、色汚れが付いたカラー汚損紙葉類であるかを判定する判定部とを備えることを特徴とする。【０００８】
また、本発明は、上記発明において、前記基準データは、紙葉類のカラー画像を色分解した複数色の画素値から特徴量を算出し、該特徴量を所定の評価式に代入して得られた評価値が、カラー汚損紙葉類であることを示す値か否かを判定するための閾値であり、前記判定部は、前記画像取得部が取得した紙葉類の画像から前記評価値を算出して前記閾値と比較することにより前記紙葉類がカラー汚損紙葉類であるか否かを判定することを特徴とする。【０００９】
また、本発明は、上記発明において、前記特徴量は、前記複数色の画素値の相関特徴を示す値であることを特徴とする。【００１０】
また、本発明は、上記発明において、前記評価式は、経年変化による色の変化がない複数枚の紙葉類の画像及び経年変化により色が変化した複数枚の紙葉類の画像から算出した前記特徴量の主成分分析を行って得られた、所定主成分の主成分得点を算出するための式であることを特徴とする。【００１１】
また、本発明は、上記発明において、前記経年変化により色が変化した複数枚の紙葉類の画像は、紙葉類を撮像した画像の色成分を変更し、経年変化による色の変化を擬似的に再現して生成した画像であることを特徴とする。【００１２】
また、本発明は、上記発明において、前記複数色の画素値は、Ｒ成分の画素値と、Ｇ成分の画素値と、Ｂ成分の画素値であることを特徴とする。【００１３】
また、本発明は、上記発明において、前記判定部は、前記評価値に基づいて、複数枚のカラー汚損紙葉類に付いた色汚れが同じ色であるか否かを判定することを特徴とする。【００１４】
また、本発明は、上記発明において、前記判定部は、前記紙葉類上に予めブロックとして設定された部分領域を対象として、前記ブロックを形成する画素の画素値から前記評価値を算出し、前記紙葉類がカラー汚損紙葉類であるか否かを判定することを特徴とする。【００１５】
また、本発明は、上記発明において、前記ブロックは、前記紙葉類の全面を複数に分割して設定され、前記判定部は、各ブロックについて算出した前記評価値に基づいて、カラー汚損紙葉類が、全面に色汚れが付いた紙葉類であるか、一部の領域のみに色汚れが付いた紙葉類であるかを判定することを特徴とする。【００１６】
また、本発明は、上記発明において、複数枚の紙葉類を受ける受入部と、前記受入部に受けた紙葉類を１枚ずつ搬送する搬送部と、紙葉類を集積する複数の集積部とをさらに備え、前記受入部に受けた複数枚の紙葉類を、前記判定部による判定結果に基づいて、複数の集積部に分類して集積することを特徴とする。【００１７】
また、本発明は、紙葉類汚損判定装置がカラー汚損の有無を判定する紙葉類汚損判定方法であって、紙葉類の画像を取得する工程と、前記紙葉類を撮像した画像、及び経年変化による前記紙葉類の色の変化を特定するための基準データに基づいて、所定面積以上の領域で印刷直後の色から色が変化した紙葉類が、経年変化により色が変化した紙葉類であるか、色汚れが付いたカラー汚損紙葉類であるかを判定する工程とを含んだことを特徴とする。
【発明の効果】
【００１８】
本発明によれば、紙葉類上の所定面積以上の領域が印刷直後と異なる色に変化していることを検出することができる。そして、経年変化による色の変化を特定するために予め準備した基準データを利用して、検出した色の変化が経年変化によるものか、インクや染料等が付いた色汚れによるものかを判定することができる。これにより、経年変化によって色が変化した紙葉類と区別して、色汚れが付いた紙葉類を検出することができる。
【図面の簡単な説明】
【００１９】
【図１】図１は、紙幣処理装置が実行する紙葉類の汚損判定を説明するための図である。
【図２】図２は、紙幣処理装置の構成を説明するための図である。
【図３】図３は、紙幣処理装置の機能構成概略を示すブロック図である。
【図４】図４は、特徴量の算出に利用する紙幣画像について説明する図である。
【図５】図５は、特徴量の算出方法を説明するための図である。
【図６】図６は、第１主成分、第２主成分、第３主成分の主成分得点をプロットした際の集合の例を示す図である。
【図７】図７は、正損識別及び汚損判定の処理例を示すフローチャートである。
【発明を実施するための形態】
【００２０】
以下、添付図面を参照しながら、本発明に係る紙葉類汚損判定装置及び紙葉類汚損判定方法の好適な実施形態について詳細に説明する。紙葉類汚損判定方法は、例えば、複数枚の紙葉類を１枚ずつ連続して処理する紙葉類処理装置内で利用される。汚損判定の判定対象とする紙葉類の種類は特に限定されないが、本実施形態では、紙幣を例に説明する。具体的には、紙幣の金種、真偽、正損等を識別し、識別結果に基づいて紙幣を種類別に分類する紙幣処理装置（紙葉類処理装置）を例に、紙葉類汚損判定装置及び紙葉類汚損方法について説明する。
【００２１】
まず、紙葉類汚損判定方法の概要を説明する。図１は、紙幣処理装置１が実行する紙葉類の汚損判定を説明するための図である。図１に示す紙幣処理装置１が、紙葉類汚損判定装置として機能する。紙幣処理装置１は、複数枚の紙幣１００を受け付けて１枚ずつ装置内に取り込み、各紙幣の金種、真偽、正損等を識別する。紙幣処理装置１は、識別結果に基づいて、リジェクト部、集積部等に紙幣を種類別に分けて排出して集積する。
【００２２】
紙幣処理装置１は、正損識別を行って、図１に示すように、紙幣１００を正券１０１と損券１１１〜１１４とに分類する。例えば、市場で再使用可能な紙幣が正券とされ、再使用できない紙幣が損券とされる。紙幣処理装置１は、紙幣を撮像した画像から光学的特徴を示す値を取得して、紙幣の汚れ、皺、破れ等の有無を判定する。また、紙幣の厚みを示す値を取得して、紙幣に貼り付けられたテープの有無等を判定する。判定は、紙幣から取得した値を、正券と損券を分けるために予め準備された閾値と比較することによって行われる。基準データとして利用する閾値を変更することによって、どのような紙幣を損券とするかを変更できるようになっている。
【００２３】
損券には、破れた紙幣、一部が欠損した紙幣、折れや皺等の傷みがひどい紙幣、落書きされた紙幣、経年変化により変色した紙幣、インクや染料等による色汚れが付いた紙幣等、様々な紙幣が含まれる。紙幣処理装置１は、これらの損券を区別して種類別に分類することができる。特に、落書きされた紙幣、経年変化により変色した紙幣等の通常汚損券と、色汚れにより変色したカラー汚損券とを区別できる点が、紙幣処理装置１の１つの特徴となっている。本特徴について説明するため、以下では、損券１１１〜１１４が、経年変化により変色した通常汚損券、又は色汚れが付いたカラー汚損券のいずれかであるものとして説明を続ける。
【００２４】
正損識別を行って正損を分類した紙幣処理装置１は、さらに、損券１１１〜１１４を、通常汚損券１１１と、カラー汚損券１１２〜１１４とに分類する。紙幣処理装置１は、さらに、色汚れの色が異なるカラー汚損券１１２、１１３を、色別に分類することができる。また、カラー汚損券１１２〜１１４を、全体に色汚れが付いたカラー汚損券１１２、１１３と、一部の領域のみに色汚れが付いたカラー汚損券１１４とに分類することもできる。なお、図１では、例えば、印刷直後の色に比べて、カラー汚損券１１２は全体が青色に汚れ、カラー汚損券１１３は全体が緑色に汚れ、カラー汚損券１１４は一部が赤色に汚れているというように、色汚れの色が異なることを模式的に示している。
【００２５】
ここで、カラー汚損券（カラー汚損紙葉類）１１２〜１１４とは、予め設定した所定面積以上の領域に、インクや染料等による色（色汚れ）が付いた紙幣を言う。紙幣処理装置１は、インクや染料等による色汚れが付いたために、通常の紙幣とは異なる色に変化したカラー汚損券を、他の紙幣と区別して検出することができる。具体的には、文字や線等の落書きがされたり局所的に汚れが付いたりした紙幣と区別して、カラー汚損券を検出することができる。また、印刷直後の状態に比べると広範囲に色が変化しているが、色汚れではなく経年変化による退色が原因である紙幣と区別して、カラー汚損券を検出することができる。
【００２６】
紙幣処理装置１は、例えば、紙幣を複数の部分領域に分割した複数ブロックのうち、少なくとも１つのブロック全体に色汚れが付いた紙幣をカラー汚損券と判定する。例えば、縦横の寸法が３０ｍｍ程度の矩形形状を１つのブロックとし、このブロック全体に色汚れが付いた紙幣をカラー汚損券とする。色汚れが付いたブロックの数によって、紙幣全体に色汚れが付いたカラー汚損券１１２、１１３と、一部の領域のみに色が付いたカラー汚損券１１４とを区別することができる。なお、カラー汚損の有無を判定するブロックの大きさや位置は、設定により変更できるようになっている。
【００２７】
紙幣が発行されてから長い年月が経過すると、経年変化による退色が生じ、紙幣全体の色が変化する。具体的には、例えば、紙幣の白地部分（紙の色）が黄ばんだ色になる。また、例えば、赤や青等のインクで鮮やかに印刷された、文字、肖像、幾何学模様等の図柄がくすんだ色になる。紙幣処理装置１は、このように経年変化によって色が変化した通常汚損券１１１と、染料等によって色が付いたカラー汚損券１１２〜１１４とを区別することができる。
【００２８】
紙幣処理装置１は、紙幣上に設定されたブロックの色合いを示す値を、特徴量として、カラー汚損の判定に利用する。例えば、紙幣を撮像したカラー画像を利用して、画像上でブロックを形成する各画素のＲ（赤）、Ｇ（緑）、Ｂ（青）の色別の画素値（輝度値）の総和を、ブロックの特徴量とする。また、例えば、各画素の色成分の画素値の相関特徴の総和を、ブロックの特徴量とする。具体的には、例えば、ＲＧＢの各画素値の高次自己相関特徴（ＨＬＡＣ：Ｈｉｇｈｅｒ−ｏｒｄｅｒ  Ｌｏｃａｌ  ＡｕｔｏＣｏｒｒｅｌａｔｉｏｎ）の値を利用するが詳細は後述する。
【００２９】
図１の枠１２１内に示した図は、紙幣を撮像したカラー画像から、ブロックの色合いを示す複数の特徴量を算出して、複数次元の特徴空間上にプロットした状態を模式的に示したものである。特徴量に基づいてブロックのデータをプロットした場合、カラー汚損や退色がない発行後未使用の紙幣（以下「官封券」と記載する）のブロックのデータ１３１が、１つの集合１３０を形成する。一方、経年変化によって退色した紙幣（通常汚損券）のブロックのデータ１４１が、異なる集合１４０を形成する。
【００３０】
発行後の年数や使用状況によって、経年変化による退色の度合いは異なる。退色により大きく変色した紙幣のデータは、退色券の集合１４０内にプロットされる。退色券の集合１４０に含まれる程ではないものの退色が見られる紙幣のデータ１５１は、官封券の集合１３０の重心と、退色券の集合１４０の重心とを結ぶ直線上又はその近辺に分布する。退色した紙幣のデータは、退色の度合いが大きいほど退色券の集合１４０に近い位置にプロットされる。退色により色が変化した紙幣を正券とするか損券とするかは、正損の閾値を設定することにより変更することができる。例えば、官封券の集合１３０と退色券の集合１４０との間に境界となる閾値を設定すれば、データが官封券の集合側にプロットされる場合は正券、退色券の集合側にプロットされる場合は損券と判定することができる。閾値の設定によって、データ１５１が示す紙幣を正券１０１に分類することもできるし、損券１１１〜１１４に分類することもできるが、ここでは正券１０１に分類するものとして説明を続ける。
【００３１】
ブロックの色成分を示す複数色の画素値から算出する特徴量は、経年変化による退色で紙幣の色が徐々に変化するにつれて、官封券の集合１３０と退色券の集合１４０とを直線的に接続する帯状領域を移動する。具体的には、退色による色の変化が大きくなるにつれて、官封券の集合１３０近傍の位置から退色券の集合１４０近傍の位置へ向かって移動する。一方、ブロックの略全体に色が付いたカラー汚損券のデータ１６１、１６２は、官封券の集合１３０と、退色券の集合１４０と、これらの集合を直線的に結ぶ帯状領域とから外れた位置にプロットされる。
【００３２】
紙幣処理装置１は、枠１２１内に示すように、ブロックの特徴量に基づいて特徴空間にプロットした各データ１３１、１４１、１５１、１６１、１６２と、官封券の集合１３０と、退色券の集合１４０との位置関係に基づいて、紙幣を種類別に分類する。具体的には、データ１３１が示す紙幣及びデータ１５１が示す紙幣は、正券１０１に分類する。データ１４１が示す紙幣は、通常汚損券１１１に分類する。データ１６１が示す紙幣及びデータ１６２が示す紙幣は、色汚れの面積や色に応じてカラー汚損券１１２〜１１４のいずれかに分類する。
【００３３】
紙幣処理装置１では、カラー汚損券をさらに高精度に検出するため、主成分分析を利用した汚損判定を行うことができる。色合いを示す複数次元の特徴量を変量として主成分分析を行うと、図１の枠１２１内に矢印で示したように、経年変化による色の変化に起因する特徴量の変化が、第１主成分として得られる。これに続いて寄与率の高い第２主成分、第３主成分をカラー汚損券の検出に利用する。
【００３４】
図１の枠１２２内の図は、特徴量から算出した第２主成分及び第３主成分の値を主成分空間上にプロットした状態を模式的に示したものである。枠１２２内に示すように、第２主成分及び第３主成分を利用すれば、官封券のデータ１３１及び退色した紙幣のデータ１４１、１５１を含む集合１７１と、カラー汚損券のデータ１６１、１６２を含む集合１７２とを分離することができる。これを利用して、紙幣処理装置１は、カラー汚損券と他の紙幣とを区別する。
【００３５】
具体的には、主成分分析を行って得られた、特徴量から第２主成分及び第３主成分の主成分得点を算出する式を、評価式とする。紙幣処理装置１は、ブロックの色成分を示す画素値から特徴量を算出して評価式に代入し、第２主成分及び第３主成分の主成分得点を算出する。そして、算出した値を評価値として、ブロックにカラー汚損があるか否かを評価する。
【００３６】
図１の枠１２２内に示すように、第２主成分及び第３主成分の主成分得点を主成分空間上にプロットしたデータが、カラー汚損券を示す集合１７２に含まれる場合は、このブロックはカラー汚損券のブロックであると判定する。すなわち、ブロックにはカラー汚損があると判定する。これにより、カラー汚損券１１２〜１１４と、正券１０１や通常汚損券１１１とを区別することができる。
【００３７】
紙幣処理装置１は、各ブロックのカラー汚損有無の判定結果に基づいて、紙幣全体に色汚れが付いたカラー汚損券１１２、１１３と、部分的に色が付いたカラー汚損券１１４とを区別する。また、主成分空間上における、カラー汚損券の２つのデータ１６１、１６２の間の距離や方向等の位置関係に基づいて、各データ１６１、１６２が示すカラー汚損券の色汚れが同じ色であるか否かを判定する。これにより、紙幣に付いた色汚れの色が異なるカラー汚損券１１２と、カラー汚損券１１３とを区別することができる。
【００３８】
具体的には、紙幣に設定された全てのブロックのうち１つでもカラー汚損があるブロックがあれば、紙幣処理装置１は、この紙幣をカラー汚損券１１２〜１１４と判定する。このとき、複数ブロックのうち一部のブロックにカラー汚損があり、他のブロックにカラー汚損がない場合、紙幣処理装置１は、この紙幣を、部分的に色汚れが付いたカラー汚損券１１４と判定する。一方、全てのブロックにカラー汚損がある場合、紙幣処理装置１は、この紙幣を、紙幣全面に色汚れが付いたカラー汚損券１１２、１１３と判定する。
【００３９】
また、紙幣処理装置１は、カラー汚損を示すデータ１６１とデータ１６２の位置関係に基づいて、データ１６１が示すカラー汚損の色と、データ１６２が示すカラー汚損の色とが異なる色であるか否かを判定する。この判定結果に基づいて、紙幣処理装置１は、紙幣全面に色汚れが付いたカラー汚損券１１２、１１３を、色別に分類する。同様に、紙幣の一部に色汚れが付いたカラー汚損券についても、色の違いを区別して、色別に分類することも可能である。
【００４０】
説明を簡単にするため、図１では、経年変化による退色で色が変化した紙幣を通常汚損券１１１として、カラー汚損券１１２〜１１４と区別する例を説明したが、正損識別の設定がこれに限定されるものではない。例えば、経年変化により退色した紙幣を正券に分類する設定とすることもできる、同様に、カラー汚損券１１２〜１１４についても、カラー汚損券１１２〜１１４を正券に分類する設定とすることもできる。また、例えば黄色に汚れた紙幣は正券とするというように、正券とするか損券とするかを、色汚れの色に基づいて判定するように設定することもできる。また、例えば３つ以上のブロックにカラー汚損があれば損券とするというように、正券とするか損券とするかを、カラー汚損のあるブロックの数に基づいて判定するよう設定することもできる。紙幣処理装置１が行った正損識別、汚損判定の結果に基づいて、紙幣をどのように分類するかについては、設定により変更することができる。
【００４１】
続いて、紙幣処理装置１の構成について説明した後、通常汚損券とカラー汚損券とを区別するための特徴量及び主成分の詳細について説明する。図２は、紙幣処理装置１の構成を説明するための図である。図２（ａ）は、紙幣処理装置１の外観を示す斜視図である。図２（ｂ）は、紙幣処理装置１の内部構成概略を示す断面模式図である。紙幣処理装置１は、複数の紙幣を受ける受入部１１と、受入部１１に受けた複数の紙幣を１枚ずつ装置内へ取り込む取込部１０とを有する。装置前面には、設定変更や紙幣処理に関する情報の入力、指示命令に関する入力等を行うための操作部５１が設けられている。また、装置前面には、設定内容、紙幣処理結果等の情報を表示するための表示部５２が設けられている。
【００４２】
図２（ｂ）に示すように、紙幣処理装置１の内部には、取込部１０が装置内に取り込んだ紙幣を搬送路に沿って搬送する搬送部７０と、搬送部７０によって搬送される紙幣を識別計数するための識別部５５とが設けられている。紙幣処理装置１には、例えば、処理対象外の紙幣、偽券、偽券の疑いがあるが真偽を確定できないサスペクト紙幣等、予め設定した種類の紙幣をリジェクト紙幣として排出するための２つのリジェクト部６５（６５ａ、６５ｂ）が設けられている。第１リジェクト部６５ａ及び第２リジェクト部６５ｂに、リジェクト紙幣を種類別に分類して排出することができる。
【００４３】
識別部５５は、搬送部７０によって搬送される紙幣から、該紙幣の金種、真偽、正損等を識別して計数するための各種データを取得する。識別部５５が取得するデータには、カラー汚損の有無を判定するためのデータが含まれる。
【００４４】
集積部６０（６０ａ〜６０ｈ）は、搬送部７０によって搬送されてきた紙幣を受けて集積する。集積部６０は、前面に開口部を有する。紙幣処理装置１を利用する操作者は、集積部６０に集積された紙幣を開口部から抜き取ることができる。また、装置前面には、第１集積部６０ａ〜第８集積部６０ｈのそれぞれに対応して、集積紙幣に関する情報を表示するための個別表示部６２ａ〜６２ｈが設けられている。
【００４５】
識別部５５が取得したデータに基づいて、紙幣の金種、真偽、正損等が識別される。識別結果に基づいて、リジェクト紙幣はリジェクト部６５に集積され、その他の紙幣は各集積部６０ａ〜６０ｈに種類別に分類して集積される。各集積部６０ａ〜６０ｈに集積される紙幣の種類は、設定により変更することができる。操作者は、表示部５２に表示された設定内容を確認しながら、操作部５１を操作することにより、判定処理等に係る設定や、判定結果に基づく紙幣の集積先の設定を変更することができる。
【００４６】
例えば、カラー汚損券を、他の紙幣と分けてリジェクト部６５に集積する設定とすることもできるし、カラー汚損券を集積部６０に集積する設定とすることもできる。このとき、紙幣全体に色汚れが付いたカラー汚損券と、部分的に色汚れが付いたカラー汚損券とを分類して集積する設定とすることもできる。また、紙幣に付いた色汚れの色を区別して、カラー汚損券を色別に分類して集積する設定とすることもできる。
【００４７】
図２（ｂ）に示すように、搬送部７０には、搬送路を搬送される紙幣を分岐するための複数の分岐部材７１が設けられている。また、搬送部７０には、搬送路を搬送される紙幣を検知するための複数のセンサ７２が設けられている。識別部５５が取得したデータを利用して紙幣の識別結果が得られると、識別結果に基づいて、集積部６０及びリジェクト部６５の中から紙幣の集積先が決定される。センサ７２によって紙幣の搬送位置を検知しながら分岐部材７１による分岐動作を制御することにより、各紙幣を、決定した集積先へ搬送して集積することができる。各集積部６０には、集積部内の紙幣の有無を検知するセンサ７３が設けられている。
【００４８】
図３は、紙幣処理装置１の機能構成概略を示すブロック図である。図３に示すように、紙幣処理装置１は、上述した構成に加えて、制御部５０及び記憶部５６を有する。制御部５０が、記憶部５６に保存されたデータを参照しながら各部を制御することにより、本実施形態に記載の各機能及び動作を実現することができる。制御部５０は、カラー汚損に係る判定処理を行う判定部として機能する。
【００４９】
記憶部５６は、例えば不揮発性の半導体メモリから成り、制御部５０の動作に必要なプログラムや設定等、各種データを保存するために利用される。記憶部５６には、識別処理や判定処理に係る設定、閾値やテンプレート等の基準データ、リジェクト部６５及び集積部６０に集積する紙幣の種類に係る設定等が保存されている。また、記憶部５６は、紙幣を撮像した画像、識別結果等の一時保存に利用される。
【００５０】
識別部５５は、搬送部７０が搬送する紙幣に光を照射する光源８０と、紙幣を撮像するラインセンサ８１とを有する。識別部５５は、紙幣の画像を取得する画像取得部として機能する。識別部５５は、光源８０を点灯して紙幣に光を照射し、ラインセンサ８１で紙幣全面の画像を取得する。画像の取得方法は、紙幣に白色光を照射してカラー画像を取得する態様であってもよいし、例えばＲＧＢ各色の光を別々に照射して各色の画像を取得する態様であってもよい。
【００５１】
識別部５５は、光源８０及びラインセンサ８１の他に、紙幣の磁気特徴に係るデータを取得するための磁気センサ、紙幣の厚みに係るデータを取得するための厚み検知センサ等を有する。各センサで取得したデータを利用して、紙幣の識別処理が行われるが、識別処理は従来技術と同様に行うことができるため詳細な説明は省略する。
【００５２】
次に、カラー汚損の判定に用いる特徴量について説明する。図４は、特徴量の算出に利用する紙幣画像について説明する図である。ラインセンサ８１によって、紙幣２００の全面を撮像し、図４に示すように、Ｒ画像３０１、Ｇ画像４０１、Ｂ画像５０１を取得する。Ｒ画像３０１、Ｇ画像４０１及びＢ画像５０１は、例えば、紙幣２００を縦横数ｍｍの複数の矩形領域に分割して、各矩形領域を１画素として撮像した画像である。
【００５３】
紙幣２００にＲＧＢ各色の光を順に照射する場合には、図４に示すＲ画像３０１、Ｇ画像４０１及びＢ画像５０１を直接取得することができる。紙幣２００に白色光を照射する場合には、カラーの紙幣画像が得られる。このカラー画像から、ＲＧＢの３色に色分解したＲ画像３０１、Ｇ画像４０１、Ｂ画像５０１を取得することができる。
【００５４】
Ｒ画像３０１は、紙幣２００を撮像したカラー画像のＲ成分の画素値を示す画像である。Ｒ画像３０１は、複数のブロック３２１に分割されている。例えば、短手方向（図４縦方向）に２分割、長手方向（図４横方向）に４分割することにより、Ｒ画像３０１を、８つのブロック３２１（Ｒ１、Ｒ２…）に分割する。
【００５５】
Ｇ画像４０１は、紙幣２００を撮像したカラー画像のＧ成分の画素値を示す画像である。Ｇ画像４０１の各画素４１１はＲ画像３０１の各画素３１１に対応し、Ｇ画像４０１の各ブロック４２１はＲ画像３０１の各ブロック３２１に対応している。Ｂ画像５０１は、紙幣２００を撮像したカラー画像のＢ成分の画素値を示す画像である。Ｂ画像５０１の各画素５１１はＲ画像３０１の各画素３１１に対応し、Ｂ画像５０１の各ブロック５２１はＲ画像３０１の各ブロック３２１に対応している。
【００５６】
紙幣２００のＲ画像３０１、Ｇ画像４０１、Ｂ画像５０１が得られると、制御部５０は、各ブロックの特徴量を算出する。各ブロックにおける特徴量の算出方法は同一であるため、第１ブロック（Ｒ１、Ｇ１、Ｂ１）を例に算出方法を説明する。
【００５７】
図５は、特徴量の算出方法を説明するための図である。制御部５０は、図５（ａ）に示すように、Ｒ画像３０１の第１ブロックＲ１、Ｇ画像４０１の第１ブロックＧ１、Ｂ画像５０１の第１ブロックＢ１の間で対応する各画素３１１、４１１、５１１の画素値から特徴量を算出する。
【００５８】
例えば、Ｒ成分の画素値、Ｇ成分の画素値、Ｂ成分の画素値から高次自己相関特徴（ＨＬＡＣ）を算出して特徴量とする。具体的には、例えば図５（ｂ）に示すマスクパターン２４０を適用して、Ｒ画像３０１の第１ブロックＲ１に含まれる各画素３１１の画素値の積を算出する。そして、全画素について算出した画素値の積を合算した総和を求めて特徴量の１つとする（図５（ｃ）のΣ（Ｒ×Ｒ））。同様に、制御部５０は、Ｒ画像３０１の第１ブロックＲ１に含まれる各画素３１１の画素値と、Ｇ画像４０１の第１ブロックＧ１に含まれる、対応する画素４１１の画素値との積を算出する。そして、全画素について算出した積を合算した総和を算出して特徴量の１つとする（図５（ｃ）のΣ（Ｒ×Ｇ））。こうして、各ブロックについて、図５（ｃ）に示すように、Ｒ成分の画素値から算出した特徴量（Σ（Ｒ×Ｒ））、Ｒ成分の画素値とＧ成分の画素値から算出した特徴量（Σ（Ｒ×Ｇ））、Ｒ成分の画素値とＢ成分の画素値から算出した特徴量（Σ（Ｒ×Ｂ））、Ｇ成分の画素値から算出した特徴量（Σ（Ｇ×Ｇ））、Ｇ成分の画素値とＢ成分の画素値から算出した特徴量（Σ（Ｇ×Ｂ））、Ｂ成分の画素値から算出した特徴量（Σ（Ｂ×Ｂ））の６次元の特徴量が得られる。
【００５９】
次に、カラー汚損の有無を判定するための判定条件の設定方法について説明する。まず、カラー汚損の判定対象とする紙幣の現物を多数枚準備する。具体的には、複数枚の官封券現物と、経年変化によって退色した複数枚の退色券現物とを準備する。そして、準備した官封券及び退色券それぞれを撮像し、各画像から、上述したように、各ブロックについて６次元の特徴量を算出する。
【００６０】
準備する退色券現物は、経年変化による色の変化を検出するため、落書きされた紙幣やインク汚れが付着した紙幣等、経年変化以外の理由による色の変化がない紙幣であることが好ましい。例えば紙幣が新たに発行されたばかりで退色券現物を入手できない等の場合は、入手できる紙幣の画像から擬似的に退色券の画像を生成する。経年変化により、紙幣の白地部分が黄ばみ、赤や青等のインクによる印刷部分が色褪せる。このため、例えば、官封券の紙幣画像のＲＧＢ各成分の画素値を低下させるなどして色褪せを再現すると共に、Ｒ成分の画素値及びＧ成分の画素値に比べてＢ成分の画素値を大きく低下させるなどして黄ばみを再現し、疑似的に退色券の画像を生成する。退色を再現する際のＲＧＢ各画素値の変更量については、例えば、他の金種の官封券現物と退色券現物との色の違いを参考に決定する。
【００６１】
多数枚の官封券及び退色券それぞれの各ブロックについて特徴量が得られたら、ブロック別に、得られた特徴量を変量とする主成分分析を行う。そして、寄与率が最も高いものから順に第１主成分〜第３主成分を採用する。官封券と退色券とを対象に主成分分析を行うため、第１主成分は、官封券が退色した際の色の変化を示す成分となる。これに対して、第２主成分及び第３主成分は、退色とは異なる色の変化を示す成分となる。各ブロックの第１主成分、第２主成分、第３主成分の各値を算出するための係数等の情報を、各ブロックのカラー汚損に係る判定条件として記憶部５６に保存する。すなわち、各ブロックの特徴量から、カラー汚損判定用の評価値として利用する第２主成分及び第３主成分の主成分得点を算出するための評価式を、判定条件として、予め記憶部５６に保存しておく。なお、各ブロックとする紙幣上の部分領域についても予め記憶部５６に保存されている。例えば、紙幣の種類毎にブロック及び判定条件が設定されている。例えば、紙幣画像を取得した後、先に紙幣の種類を識別し、該種類について設定されたブロックから特徴量を得て、紙幣の種類に対応する判定条件を利用して処理を進めることができる。
【００６２】
図６は、第１主成分、第２主成分、第３主成分の主成分得点をプロットした際の集合の例を示す図である。例えば、官封券、退色券（通常汚損券）、カラー汚損券が混在する多数の紙幣の同一ブロックについて、第１主成分の値を求めてプロットする。この結果、図６（ａ）に示すように、官封券の集合６０１と、退色券の集合６１１及びカラー汚損券の集合６１２とが分離される。一方、第２主成分及び第３主成分の値を求めてプロットすると、図６（ｂ）に示すように、官封券の集合６０１及び退色券の集合６１１と、カラー汚損券の集合６１２とが分離される。
【００６３】
官封券現物及び退色券現物を準備して、各ブロックについて、図６（ａ）に示すように官封券の集合６０１と退色券の集合６１１とが得られたら、官封券及び正券と、他の紙幣とを区別できるように、第１主成分の閾値を設定する。そして、各閾値を、各ブロックの判定条件として記憶部５６に保存する。紙幣処理装置１によって紙幣を識別する際、制御部５０は、記憶部５６の判定条件を参照して、判定対象とする紙幣の各ブロックから第１主成分の値を求め、各ブロックについて設定された閾値と比較する。これにより、官封券及び正券と、その他の紙幣とを区別することができる。
【００６４】
官封券現物及び退色券現物を準備して、各ブロックについて、図６（ｂ）に示すように、官封券の集合６０１と退色券の集合６１１とが得られたら、例えば、これら２つの集合を含む領域外縁の値に基づいて閾値を設定する。そして、各閾値を、各ブロックの判定条件として記憶部５６に保存する。紙幣処理装置１によって紙幣を識別する際、制御部５０は、記憶部５６の判定条件を参照して、判定対象とする紙幣の各ブロックから第２主成分及び第３主成分の値を求め、各ブロックについて設定された閾値と比較する。そして、ブロックから得られた値が、官封券の集合６０１及び退色券の集合６１１に含まれなければ、このブロックはカラー汚損券のブロックであると判定することができる。
【００６５】
すなわち、カラー汚損の有無を判定するための基準データとして閾値を設定し、判定条件として予め記憶部５６に保存しておく。そして、予め準備された評価式に特徴量の値を代入して算出した主成分得点を、評価値として基準データと比較することにより、カラー汚損の有無を判定するものである。
【００６６】
なお、官封券現物及び退色券現物を準備して、カラー汚損判定用の判定条件を設定する例を示したが、判定条件の設定方法がこれに限定されるものではない。例えば、官封券現物及び退色券現物に加えて、カラー汚損券の現物を利用してもよい。官封券、退色券及びカラー汚損券の現物を多数枚準備して、図６（ｂ）に示すように、第２主成分及び第３主成分の値に基づくカラー汚損券の集合６１２を調べる。そして、例えば、カラー汚損券の集合６１２の外縁を形成する第２主成分及び第３主成分の値に基づいて閾値を設定してもよい。これにより、判定対象とする紙幣のブロックから第２主成分及び第３主成分の値を求めて閾値と比較し、カラー汚損券の集合６１２に含まれていれば、カラー汚損券のブロックであると判定することができる。また、カラー汚損券の集合６１２と、官封券の集合６０１及び退色券の集合６１１とを区別できるように、主成分空間を２つに分割する閾値（境界）を設定してもよい。これにより、判定対象とする紙幣のブロックから第２主成分及び第３主成分の値を求めて、いずれの領域に含まれるかに基づいて、カラー汚損券のブロックであるか否かを判定することができる。なお、カラー汚損券の集合６１２を調べる際、退色券の場合と同様に、官封券画像のＲＧＢの画素値を変更して、擬似的にカラー汚損券の画像を生成して利用してもよい。
【００６７】
カラー汚損の判定方法が、各ブロックについて算出した第２主成分及び第３主成分の値を直接利用する態様に限定されるものではない。例えば、第２主成分及び第３主成分の値からマハラノビス距離を算出して判定する態様であってもよい。例えば、第２主成分及び第３主成分の値で規定される判定対象ブロックのデータの位置から、官封券の集合６０１及び退色券の集合６１１を含む集合迄のマハラノビス距離を算出する。該マハラノビス距離が、予め設定した閾値を超える場合に、カラー汚損があると判定することができる。また、例えば、第２主成分及び第３主成分の値で規定される判定対象ブロックのデータの位置から、カラー汚損券の集合６１２迄のマハラノビス距離を算出する。該マハラノビス距離が、予め設定した閾値を超えない場合に、カラー汚損券のブロックであると判定することができる。
【００６８】
次に、第１主成分〜第３主成分の値に基づいて行う正損識別及び汚損判定の処理の流れについて説明する。図７は、正損識別及び汚損判定の処理例を示すフローチャートである。紙幣処理装置１は、紙幣の光学特徴、磁気特徴、厚み等のデータを総合的に判定して紙幣の金種、真偽、正損等を識別するが、図７は、カラー汚損の判定に関する処理のみを示している。
【００６９】
操作者は、カラー汚損の判定対象とする複数枚の紙幣を受入部１１に載置して、紙幣処理を開始する。取込部１０によって受入部１１から１枚ずつ装置内に取り込まれた紙幣は、搬送部７０によって、搬送路に沿って搬送される。搬送の途中で、識別部５５が、紙幣全体のカラー画像を取得する（ステップＳ１）。
【００７０】
制御部５０は、予め紙幣上に設定された複数ブロックのそれぞれについて、紙幣画像のＲ成分、Ｇ成分、Ｂ成分の各画素値から、高次自己相関特徴に基づく特徴量を算出する（ステップＳ２）。続いて、制御部５０は、算出した特徴量と、予め記憶部５６に保存されている判定条件とに基づいて、複数ブロックのそれぞれについて、第１主成分、第２主成分、第３主成分の各主成分得点を算出する（ステップＳ３）。制御部５０は、第１主成分の値と、予め記憶部５６に判定条件として保存されている情報とに基づいて、紙幣が正券であるか否かを判定する（ステップＳ４）。
【００７１】
例えば、制御部５０は、各ブロックの第１主成分の値と、図６（ａ）に示す官封券の集合６０１の間のマハラノビス距離を算出する。そして、紙幣について設定された複数ブロック全てのマハラノビス距離が、予め基準データとして設定された閾値以下であれば、制御部５０は、紙幣は正券であると判定する（ステップＳ４；Ｙｅｓ）。複数ブロックのうち１つでも、マハラノビス距離が閾値を超えるものがあれば、制御部５０は、紙幣は正券ではないと判定する（ステップＳ４；Ｎｏ）。
【００７２】
紙幣が正券であるとの判定結果が得られた場合（ステップＳ５）、制御部５０は判定処理を終了する。一方、紙幣が正券ではない、すなわち損券であるとの判定結果が得られた場合、制御部５０は、続いて、紙幣がカラー汚損券であるか否かを判定する判定処理を実行する（ステップＳ６）。
【００７３】
例えば、制御部５０は、各ブロックの第２主成分及び第３主成分の値と、図６（ｂ）に示すカラー汚損券の集合６１２の間のマハラノビス距離を算出する。そして、紙幣について設定された複数ブロック全てのマハラノビス距離が、予め基準データとして設定された値を超えていれば、制御部５０は、紙幣がカラー汚損券ではないと判定する（ステップＳ６；Ｎｏ）。複数ブロックのうち１つでも、マハラノビス距離が閾値以下であれば、制御部５０は、紙幣はカラー汚損券であると判定する（ステップＳ６；Ｙｅｓ）。
【００７４】
紙幣がカラー汚損券ではない、すなわち経年変化により退色した紙幣等の通常汚損券であるとの判定結果が得られると（ステップＳ８）、制御部５０は判定処理を終了する。また、紙幣がカラー汚損券であるとの判定結果が得られた場合も（ステップＳ７）、制御部５０は判定処理を終了する。
【００７５】
ただし、カラー汚損券であるとの判定結果が得られた場合は、さらに処理を続ける設定とすることもできる。例えば、図６（ｂ）に示すカラー汚損券の集合６１２と、判定対象ブロックのデータをプロットした点との位置関係から、カラー汚損券を、汚損の色別に分類する処理を行う設定とすることもできる。また、例えば、カラー汚損があると判定されたブロックの数に基づいて、紙幣全体に色汚れが付いたカラー汚損券と、一部のブロックのみに色汚れが付いたカラー汚損券とを分類する処理を行う設定とすることもできる。
【００７６】
また、図７では、判定対象ブロックのデータを第２主成分及び第３主成分から成る主成分空間にプロットし、カラー汚損券の集合からのマハラノビス距離に基づいてカラー汚損の有無を判定する例を示したが、判定方法がこれに限定されるものではない。例えば、上述したように、官封券及び退色券の集合からのマハラノビス距離を求めて、この距離が、予め設定した閾値を超える場合にカラー汚損券と判定する態様であってもよい。また、退色券のみの集合からマハラノビス距離を求めてカラー汚損の有無を判定する態様であってもよい。
【００７７】
本実施形態では、紙幣の全面を複数に分割してブロックとする例を示したが、ブロックの設定がこれに限定されるものではない。紙幣全面の色汚れを判定する必要がない場合は、色汚れを判定したい領域のみにブロックを設定すればよい。例えば、紙幣の盗難等に対応するため、異常を検知すると特殊インクを紙幣に噴射して紙幣に色を付ける装置がある。特殊インクが付着する領域が限定される場合には、この領域の色汚れを検出できるように、一部の領域のみにブロックを設定すればよい。
【００７８】
本実施形態では、紙幣上に設定したブロックの色合いを示す特徴量を利用して、カラー汚損券を検出する例を示した。この他、ブロックの色合いを示す特徴量を、紙幣の金種や真偽の識別に利用する態様であってもよい。例えば、同様の図柄が印刷されているが、金種によって図柄の色合いが異なる紙幣や、紙幣の発行年によって図柄の色合いが異なる金種の紙幣があるものとする。この場合、上述したように、ＲＧＢの各画素値から求めた特徴量、該特徴量から求めた主成分得点等を利用して、色合いが異なる紙幣を区別することにより、紙幣の金種や発行年を識別することができる。また、例えば、真の紙幣と色合いが異なる偽の紙幣が出現した場合も、同様に、ＲＧＢ各画素から求めた特徴量、該特徴量から求めた主成分得点等を利用して色合いを区別することにより、紙幣の真偽を識別することができる。すなわち、ブロックの色合いを示す特徴量は、紙幣の色特徴として、該紙幣の種類を特定するために様々な目的で利用することができる。
【００７９】
本実施形態では、紙幣を撮像したカラー画像のＲ成分、Ｇ成分、Ｂ成分の画素値を利用して特徴量を算出する例を示したが、特徴量の算出に利用する色がＲＧＢに限定されるものではない。紙幣の退色による色の変化を抽出することができれば、他の色の画素値から特徴量を算出する態様であってもよい。例えば、赤外波長の光で紙幣を撮像した画像の画素値をＩＲ成分、緑の光で紙幣を撮像した画像の画素値をＧ成分、紫の光で紙幣を撮像した画像の画素値をＶ成分として、これら３つの色成分の画素値から特徴量を算出する態様であってもよい。また、４つ以上の色成分の画素値から特徴量を算出する態様であってもよい。
【００８０】
本実施形態では、各ブロックのＲ成分、Ｇ成分、Ｂ成分の各画素値から、高次自己相関特徴として６次元の特徴量を算出する例を示したが、特徴量がこれに限定されるものではない。例えば、対象とする画素と、隣接する画素との相関特徴を示す値を、特徴量として利用してもよい。具体的には、例えば、対象とする画素のＲ成分、Ｇ成分、Ｂ成分の各画素値と、この画素に隣接する画素のＲ成分、Ｇ成分、Ｂ成分の各画素値との積を求めて合算した総和を特徴量に加え、７次元以上の高次自己相関特徴の値を特徴量とする態様であってもよい。
【００８１】
本実施形態では、紙幣の片面を撮像した画像を利用してカラー汚損の有無を判定する例を示したが、判定方法がこれに限定されるものではない。例えば、紙幣の表面の画像と、裏面の画像とを取得して、各面の画像について、上述したカラー汚損の判定を行う態様であってもよい。例えば、表面と裏面のいずれか一方の面にカラー汚損があると判定された場合にカラー汚損券であると判定し、両面でカラー汚損がないと判定された場合にカラー汚損券ではないと判定することができる。また、例えば、表面と裏面のいずれか一方の面にカラー汚損があってもカラー汚損券とは判定しないように設定することもできる。
【００８２】
上述したように、本実施形態に係る紙幣処理装置１によれば、紙幣を撮像したカラー画像から複数色の画素値を得て、紙幣の色合いを示す特徴量を算出することができる。算出した特徴量を、予め準備された評価式に代入して、カラー汚損の有無を判定するための評価値を算出することができる。算出した評価値を、予め基準データとして設定された閾値と比較することにより、カラー汚損の有無を判定することができる。評価式及び閾値は、多数枚の官封券及び退色券の特徴量を主成分分析して得られたもので、これらを利用することにより、退色により色が変化した紙幣と、色汚れが付いたカラー汚損券とを区別することができる。これにより、色汚れが付いたカラー汚損券を高精度に検出することができる。
【産業上の利用可能性】
【００８３】
以上のように、本発明に係る紙葉類汚損判定装置及び紙葉類汚損判定方法は、紙葉類上の広範囲に色が付いたカラー汚損の有無を判定するために有用である。
【符号の説明】
【００８４】
１  紙幣処理装置
１０  取込部
１１  受入部
５０  制御部
５１  操作部
５２  表示部
５５  識別部
５６  記憶部
６０（６０ａ〜６０ｈ）  集積部
６２（６２ａ〜６２ｈ）  個別表示部
６５（６５ａ、６５ｂ）  リジェクト部
７０  搬送部
７１  分岐部材
７２,７３  紙幣検知センサ
８０  光源
８１  ラインセンサ
【図１】
2019116542.tif 000003
【図２】
2019116542.tif 000004
【図３】
2019116542.tif 000005
【図４】
2019116542.tif 000006
【図５】
2019116542.tif 000007
【図６】
2019116542.tif 000008
【図７】
2019116542.tif 000009
【手続補正書】
【提出日】令和2年6月4日(2020.6.4)
【手続補正１】
【補正対象書類名】明細書
【補正対象項目名】００２０
【補正方法】変更
【補正の内容】
【００２０】
以下、添付図面を参照しながら、本発明に係る紙葉類汚損判定装置及び紙葉類汚損判定方法の好適な実施形態について詳細に説明する。紙葉類汚損判定方法は、例えば、複数枚の紙葉類を１枚ずつ連続して処理する紙葉類処理装置内で利用される。汚損判定の判定対象とする紙葉類の種類は特に限定されないが、本実施形態では、紙幣を例に説明する。具体的には、紙幣の金種、真偽、正損等を識別し、識別結果に基づいて紙幣を種類別に分類する紙幣処理装置（紙葉類処理装置）を例に、紙葉類汚損判定装置及び紙葉類汚損判定方法について説明する。
【国際調査報告】
2019116542.tif 000010
2019116542.tif 000011